【事件の表示】
　平成６年特許願第２４３０２６号「シール性ハウジング装置」拒絶査定に対する審判事件［平成８年４月２３日出願公開、特開平８−１０５２６０］について、次のとおり審決する。
【結　論】
　本件審判の請求は、成り立たない。
【理　由】
【１】手続の経緯・本願発明
　本願は、平成６年１０月６日の出願であって、その各請求項に係る発明は平成１５年６月５日受付の手続補正書により補正された明細書、及び、図面の記載からみて、その特許請求の範囲の請求項１〜４に記載された次のとおりのものと認める。
「【請求項１】互いに接合される一対のケース半体を備え、該一対のケース半体のいずれか一方のシール部に設けたシール嵌込溝に嵌め込んだシール部材に、一対のケース半体の他方のシール部に設けた押圧用突部を圧接させて、両ケース半体の間の水密を保持するシール性ハウジング装置において、
　押圧用突部を有する側の上記ケース半体に、上記シール嵌込溝の幅方向中央部に位置する上記押圧用突部と、該押圧用突部の上記溝幅方向の両側に位置する撓み吸収溝を形成し、
　一対のケース半体を接合したとき、上記押圧用突部が上記シール嵌込溝内に突出してシール部材を押圧し、該押圧力により弾性変形したシール部材が押圧用突部両側の上記撓み吸収溝内に進入して、押圧用突部の両側面と該押圧用突部の両側面に対向する撓み吸収溝の内壁面とに密接することを特徴とするシール性ハウジング装置。
　【請求項２】〜【請求項４】（記載を省略）」
　（以下、請求項１記載の発明を「本願発明」という。）
　
【２】引用例記載の発明
　これに対し、原査定の拒絶の理由で引用された、実願平４−３９６６４号（実開平６−１９２６号）のＣＤ−ＲＯＭ（以下、「引用例」という。）には、以下の記載がある。
　「【０００６】
　【実施例】
　　以下、一実施例を示す図面に基づいて、本考案を詳細に説明する。
　図１および図２は、本考案を携帯用電話機の筐体に適用した例を示しており、この筐体１は一方のケースとしての背面ケース１０と、該背面ケース１０に組み付けられる他方のケースとしての前面ケース２０とを備えており、上記背面ケース１０と前面ケース２０との会合部にはシール部材３０が介装されている。」
　「【０００８】
　上記背面ケース１０における開口縁部、すなわち上記前面ケース２０に対向する会合縁部１０Ａには、上方に解放された保持溝１０ａが形成されている。
　上記保持溝１０ａは、矩形状断面を成す上記シール部材３０に合わせて角溝に形成されており、さらに上記会合縁部１０Ａの全周に亘って延設されている。
　　【０００９】
　一方、上記前面ケース２０の開口縁部、すなわち上記背面ケース１０に対向する会合縁部２０Ａには、上記背面ケース１０における保持溝１０ａと対応する部位に、突条２０ａと収容溝２０ｂとが形成されている。
　　【００１０】
　図１からも明らかなように、上記突条２０ａはＶ字断面形状を呈するとともに下方に向かって突出する態様で形成されている一方、上記収容溝２０ｂは逆Ｖ字形状を呈するとともに上記突条２０ａに隣接する態様で形成されており、上記突条２０ａと収容溝２０ｂとは、共に上記会合縁部２０Ａの全周に亘って延設されている。
　　【００１１】
　上記筐体１を組み立てる場合には、先ず、図１（ａ）に示すように背面ケース１０における保持溝１０ａにシール部材３０を嵌め込んで取り付ける。
　　【００１２】
　こののち、上記背面ケース１０に前面ケース２０を組み付けることにより、図１（ｂ）に示す如く、上記前面ケース２０における突条２０ａが上記シール部材３０に食い込むとともに、該突条２０ａが食い込むことによって膨出したシール部材３０の一部が上記収容溝２０ｂに入り込むこととなる。
　　【００１３】
　かくして、上記背面ケース１０における会合縁部１０Ａと、前面ケース２０における会合縁部２０Ａとの間にシール部材３０が介装され、もって上記筐体１のシールが行なわれる。」
　「【００１６】
　また、上述したように、筐体１の組み立てが完了した状態においては、前面ケース２０の突条２０ａがシール部材３０に食い込み、かつシール部材３０の一部が収容溝２０ｂに入り込んでいるので、背面ケース１０あるいは前面ケース２０に、「反り」等の多少の変形があった場合でも、背面ケース１０および前面ケース２０とシール部材３０との間に不用意に隙間が生じることがなく、さらに前面ケース２０とシール部材３０との間における水の侵入経路が複雑なものとなり、上記筐体１が確実にシールされることとなる。
　　【００１７】
　なお、上述した実施例では、突条２０ａおよび収容溝２０ｂを、各々一条ずつ形成するとともに、その断面形状をＶ字状としているが、これら突条および収容溝の形成個数および断面形状は、上記実施例に限定されるものではなく、筐体の大きさ等の諸条件によって適宜に設定し得るものであることは勿論である。
　また、本考案は、実施例に示した携帯用電話機等の電子機器のみならず、シール部材を用いて成る各種の筐体に対しても、有効に適用し得るものであることは言うまでもない。」
　
　そして、図面及び上記記載によれば、背面ケース１０と前面ケース２０とを組み付けた際に、弾性変形したシール部材３０が収容溝２０ｂの内壁面に密接することが、当業者に明らかな事項である。なお、図１（ａ）の「２０ａ収容溝」、「２０ｂ突条」の記載は、「２０ｂ収容溝」、「２０ａ突条」の誤記と認める。
　
　したがって、引用例には、以下の発明が記載されていると認められる。
「互いに接合される背面ケース１０と前面ケース２０とを備え、背面ケース１０の会合縁部１０Ａに設けた保持溝１０ａに嵌め込んだシール部材３０に、前面ケース２０の会合縁部２０Ａに設けた突条２０ａを圧接させて、両ケース１０，２０の間をシールする筺体１において、
　前面ケース２０において、背面ケース１０に設けた保持溝１０ａの幅内の位置に対応する位置に、突条２０ａと、該突条２０ａの上記溝幅方向の少なくとも一側に位置する収容溝２０ｂとを形成し、
　背面ケース１０と前面ケース２０とを接合したとき、上記突条２０ａが上記保持溝１０ａ内に突出してシール部材３０を押圧し、該押圧力により弾性変形したシール部材３０が上記収容溝２０ｂ内に進入して、突条２０ａの両側面と該突条２０ａの少なくとも一側面に対向する収容溝２０ｂの内壁面とに密接する、筺体１。」　
　
【３】対比・判断
　本願発明と上記引用例記載の発明とを対比すると、引用例記載の発明の「背面ケース１０」、「前面ケース２０」、「会合縁部１０Ａ」、「会合縁部２０Ａ」、「保持溝１０ａ」、「突条２０ａ」、「収容溝２０ｂ」、及び「筺体１」は、本願発明の「一対のケース半体の一方」、「一対のケース半体の他方」、「一方のシール部」、「他方のシール部」、「シール嵌込溝」、「押圧用突部」、「撓み吸収溝」、及び「シール性ハウジング装置」にそれぞれ相当するから、両者は、
「互いに接合される一対のケース半体を備え、該一対のケース半体のいずれか一方のシール部に設けたシール嵌込溝に嵌め込んだシール部材に、一対のケース半体の他方のシール部に設けた押圧用突部を圧接させて、両ケース半体の間の水密を保持するシール性ハウジング装置において、
　押圧用突部を有する側の上記ケース半体に、上記シール嵌込溝の幅内に位置する上記押圧用突部と、該押圧用突部の上記溝幅方向の少なくとも一側に位置する撓み吸収溝を形成し、
　一対のケース半体を接合したとき、上記押圧用突部が上記シール嵌込溝内に突出してシール部材を押圧し、該押圧力により弾性変形したシール部材が押圧用突部の少なくとも一側の上記撓み吸収溝内に進入して、押圧用突部の両側面と該押圧用突部の少なくとも一側面に対向する撓み吸収溝の内壁面とに密接することを特徴とするシール性ハウジング装置。」
の点で一致し、以下の点で相違している。
　
　相違点：
　本願発明は、押圧用突部を有する側のケース半体に、シール嵌込溝の
幅方向中央部
両側
両側
両側面
　引用例記載の発明は、押圧用突部を有する側のケース半体に、シール嵌込溝の
幅内
少なくとも一側
少なくとも一側
少なくとも一側面
　
　上記相違点について検討する。
　引用例記載の発明は、段落【００１７】に記載されているとおり、「上述した実施例では、突条２０ａおよび収容溝２０ｂを、各々一条ずつ形成するとともに、その断面形状をＶ字状としているが、これら突条および収容溝の形成個数および断面形状は、上記実施例に限定されるものではなく、筐体の大きさ等の諸条件によって適宜に設定し得る」ものであり、具体的には、本願発明のような、１つの突条（押圧用突部）と２つの収容溝（撓み吸収溝）を設けたものも当然含むものである。そして、シール部材の撓みは突条（押圧用突部）の押圧により発生するものであり、２つの収容溝（撓み吸収溝）を設ける場合には該溝を突条（押圧用突部）の両側に設けることが最適であることが当業者に明らかであるから、引用例記載の発明に基づき、上記相違点として摘記した本願発明の技術的事項を当業者が想起する点には格別困難性が認められず、該事項は当業者が適宜なし得る設計的事項にすぎない。
　また、本願発明が奏する作用効果も、当業者が予期し得る程度のものであって、格別のものとはいえない。
　
【４】むすび
　したがって、本願請求項１に係る発明は、上記引用例に記載された発明に基いて当業者が容易に発明をすることができたものであり、特許法第２９条第２項の規定により特許を受けることができないから、他の請求項に係る発明について検討するまでもなく、本願は、拒絶すべきものである。
　よって、結論のとおり審決する。